(57)【要約】      （修正有）【課題】エジェクター後方にタブレット等の抵抗物を装填すると、抵抗が大きくなり負圧の発現を妨げマイクロバブルの発生を抑制するが、抵抗を抑制する機構を組み込みマイクロバブルの発生を安定的に出現させる、ハイブリット型マイクロバブルシャワーヘッドを提供する。【解決手段】エジェクター１の空気導入管６を、ノズルの管径の中心部まで挿入して負圧の発現を容易にし、タブレット９を装填する溶解室２を設け、その後方に圧縮膨張作用と旋回流を発生さすディスク状のフィルター３を挿入することで空気の混合率と溶解率を高め、さらにディスク状のフィルター３と細孔５の間に若干の隙間４を設けることで、細孔５による圧損を緩和することの出来る、ハイブリット型マイクロバブルシャワーヘッド８。【選択図】図１
0003188504.tif 000002
【実用新案登録請求の範囲】
【請求項１】
マイクロバブル発生機構と入浴剤等のタブレットを効率良く溶解させる溶解室を設けたこと、を特徴とするハイブリット型マイクロバブルシャワーヘッド。
【請求項２】
空気を吸引するエジェクターの構造は、一次側管径をノズルの管径で絞り流速を速め、ディフューザ部に負圧を発現させマイクロバブルを発生さすが、負圧を発現さすディフューザ部に通ずる空気導入管の先端を、ノズル径の中心部まで差し込むことで、流体が導入管に遮られ流体の後方にカルマン渦が発現し、流入した空気をより細かく破砕することで、マイクロバブルを容易に発生さすことが出来ること、を特徴とする請求項１記載のハイブリット型マイクロバブルシャワーヘッド。
【請求項３】
ディフューザ部は、溶解室の外周に沿って流体が流れ込む様に、偏芯させ旋回流を作り、タブレットが溶解室で容易に溶け込む構造とし、さらに溶解室の後方には、より溶解を促進するためと気泡の混合率を高めるフィルターを設けていること、を特徴とする請求項１記載のハイブリット型マイクロバブルシャワーヘッド。
【請求項４】
フィルターは、ディスク状の形状にスリットを設けスリットとスリットの間の格子は、菱形、三角、円、半円状の何れかの断面を持ち、またスリットをずらせる様にディスクの淵、上部には凸の突起と下部には凹型のくぼみを設け、ディスクどうしをずらしながら螺旋状に組立の出来る構造を有すること、を特徴とする請求項１記載のハイブリット型マイクロバブルシャワーヘッド。
【請求項５】
フィルターの後方には、圧損を緩和する為の隙間を設け、その隙間は最低フィルターの２枚分程度を取ることで、圧損を緩和すると共にフィルターで作られる旋回流が、シャワーの細孔から流れ出る際、各々の細孔から出る水流が旋回流として放出しマッサージ効果を生むことを、特徴とする請求項１記載のハイブリット型マイクロバブルシャワーヘッド。
【考案の詳細な説明】
【技術分野】
【０００１】本考案は、マイクロバブル発生機構とタブレット状の入浴剤等を溶解さす溶解室を組み込んだ、ハイブリッド型マイクロバブルシャワーヘッドに関するものである。
【背景技術】
【０００２】従来のマイクロバブルシャワーヘッドは、ベンチュリーの法則に則ったエジェクターを組み込んだもので、ディフューザ部後方に入浴剤等の固形物を装填すると、固形物の抵抗で負圧の発現が阻害され、マイクロバブルの発生が不安定になったり消滅するなど、課題が多く両方の機能を持つシャワーヘッドの実用化は出来なかった。
【先行技術文献】
【特許文献】
【０００３】
【特許文献１】特開２００８−２２９５１６号公報
【特許文献２】特開２００９−１７４２８９号公報
【特許文献３】特開２０１１−１１５７７１号公報
【特許文献４】特表２０１２−５２８６６３号公報
【考案の開示】
【考案が解決しようとする課題】
【０００４】そこで、流速を速め負圧を発現さすためのノズルの先端に、ノズル径の中心まで空気導入管を差し込み、導入管の抵抗でカルマン渦を発生させ気液混合を容易にし、その後方に溶解室とディスク状のフィルターを設けることで、旋回流を作り入浴剤等のタブレットを溶解させることが出来る、ハイブリッド型マイクロバブルシャワーヘッドを本考案により創案された。【０００５】本考案は、以下の（ａ）〜（ｄ）を目的とする。
（ａ）  エジェクター部の負圧を発現さすノズル先端に、ノズル径の中心部まで空気導入管を差し込み、導入管の抵抗で導入管の後方にカルマン渦を発生させ、気液混合率をより高め、容易にマイクロバブルを発生することが出来る、ハイブリット型マイクロバブルシャワーヘッドを提供すること、を目的とする。
（ｂ）  ディフューザは、溶解室の外周に沿うように設置し、旋回流を発生させタブレットが溶解しやすい構造を有する、ハイブリット型マイクロバブルシャワーヘッドを提供すること、を目的とする。
（ｃ）  溶解室の後方には、ディスク状のフィルターを複数設け、そのフィルターの形状がスリットと、菱形、三角、円、半丸状の何れかの格子で形成され、各々のフィルターをずらして組み合わせることで旋回流を作り、また格子の形状から圧縮・膨張を繰り返すことで、気液混合率とタブレットの溶解率を高める、ハイブリット型マイクロバブルシャワーヘッドを提供すること、を目的とする。
（ｄ）  フィルターの後方にフィルター２枚分程度の隙間を設けることで、シャワーの細孔で出来る圧損を緩和し、さらに細孔から出る水流に旋回流を付加さすことが出来る、ハイブリット型マイクロバブルシャワーヘッドを提供すること、を目的とする。
【課題を解決する為の手段】
【０００６】上記課題を解決する為には、ノズル先端にノズル径の中心部まで空気導入管を差し込み、その後方にタブレットを挿入する溶解室を設け、次に数枚のディスク状のフィルターを挿入し旋回流を作り、さらに隙間を設けることで、マイクロバブルの発生と入浴剤等のタブレットを効率よく溶解させることを可能とすること、を特徴とする。
【考案の効果】
【０００７】請求項１に関わる考案は、送水一次側の後方にエジェクターを設け、負圧を作り空気を吸引しマイクロバブルを発生させ、エジェクターと入浴剤等を入れる溶解室をつなぎ、次に溶解室の後方に数枚のディスク状のフィルターを組み込み、空気と溶解成分を撹拌することで混合率を高め、さらにフィルター二枚程度の隙間を設けることで、圧損を緩和し旋回流を残してマイクロバブルと、溶解成分を放出する、ハイブリット型マイクロバブルシャワーヘッドを可能としたこと、を特徴とする。
【０００８】請求項２に関する考案は、送水経路の一次側の管径をノズルで絞り、管径を狭め流速を速めることで負圧を作り、空気導入管から空気を吸引しマイクロバブルを発現さすが、空気導入管をノズルの管径の中心部まで差し込むことで、空気導入管の抵抗で空気導入管の後方にカルマン渦が発現、それにより気泡をより細かくすると共にマイクロバブルが安定的に発生する、ハイブリット型マイクロバブルシャワーヘッドを可能としたこと、を特徴とする。
【０００９】請求項３に関する考案は、ディフューザと溶解室をつなぐ経路を、溶解室外周に沿わせる形で形成さすことで、旋回流がスムーズに発現し挿入する入浴剤等のタブレットを容易に溶解さす、ハイブリット型マイクロバブルシャワーヘッドを可能とすること、を特徴とする。
【００１０】請求項４に関する考案は、ディスク状（円盤状）の板にスリットを入れ、スリットとスリットの間に格子を設けた構造で、格子の形状は断面が菱形、三角、丸、半丸状の何れかの形状を成し、流体がデスク状のフィルターを通過する際、圧縮と膨張作用を受けさらに、ディスク状のフィルターの表面に凸状の突起および裏面の凹状のくぼみを設け、その凸凹は円周に均等に振り分けられ、、組み合わせるデスク状のフィルターの起点をずらすことで、スリットの開口部がずれながら螺旋状に重なり、開口部が回転する様に形成され通過する流体が旋回流を生みだし、圧縮と膨張作用および衝突と回転運動を与えられ、溶解力が格段と向上するハイブリット型マイクロバブルシャワーヘッドを可能としたこと、を特徴とする。
【００１１】請求項５に関する考案は、デスク状のフィルターの後方にデスク状のフィルター二枚程度の厚みの隙間を設けることで、シャワーの細孔にかかる圧損を緩和すると同時に、デスク状のフィルターで出来る旋回流を細孔から放出する水流に付与することで、マッサージ効果機能を持つハイブリット型マイクロバブルシャワーヘッドを可能としたこと、を特徴とする。
【考案を実施するための最良の形態】エジェクター部の空気導入管を、ノズルの管径の中心部にまで差し込み、空気導入管の抵抗で出来るカルマン渦で気液混合率を高め、ディフューザを溶解室の外周に沿わせることで旋回流を作り、溶解室の後方にディスク状のフィルターを数枚重ねて設置することで、圧縮と膨張作用および衝突と回転運動を与え溶解能力を高め、さらにディスク状のフィルターの後方に隙間を設けることで、放出する水流に旋回流を付加することが出来る、ハイブリット型マイクロバブルシャワーヘッドを提供する事を可能とした。
【実施例１】
【００１２】この考案の実施例を図１、図２、図３、図４、図５、図６に示す。図１のマイクロバブル発生機構と入浴剤等のタブレットを効率良く溶かす溶解室を設けた、ハイブリット型マイクロバブルシャワーヘッドの概要について述べる。【００１３】図１は、マイクロバブル発生機構と入浴剤等のタブレットを効率良く溶かす溶解室を設けた、ハイブリット型マイクロバブルシャワーヘッドの実施形態図を表し、エジェクター１と溶解室２、その後方にディスク状のフィルター３が数枚が重ねられ組み込まれ、次にディスク状のフィルター３を二枚重ねた程度の隙間４が、ハイブリット型マイクロバブルシャワーヘッド８として一体成型されている。【００１４】空気導入管は６はエジェクター１の後方に組み込まれ、タブレット装填口７は、溶解室２の上部に設置されている。【００１５】エジェクター１で負圧が作られると、空気導入管６から空気が吸引され、溶解室２でタブレット９と空気が混合し、さらにディスク状のフィルター３を通過する際には、空気とタブレット９がより効率良く溶解される。【００１６】溶解された混合液は、ディスク状のフィルター３の後方の隙間４で、細孔５の圧損を緩和されマイクロバブルが消滅すること無く、細孔５から安定した状態で放出が可能となる。【００１７】図２は、エジェクターの断面図で、送水１０は一次側１１で圧縮され、ノズル１２を通過することで流速が速められディフューザ部１３で負圧が発生し、空気導入管６から空気が吸引される。【００１８】空気導入管６は、ノズル径の中心部１４まで差し込んだ状態で形成され、そうすることで空気が吸引される際に流速に余り影響され難くなる。【００１９】図３は、カルマン渦の発現を表した状態図で、送水１０がノズル１２を通過し負圧となると、空気導入管６から空気が吸引され気液混合水として後方に流れるが、気液導入管６の管壁が抵抗となり空気導入管６の後方でカルマン渦１５が発現し、気液混合水がより効率的に混ざり、安定したマイクロバブルが発生する。【００２０】図４は、旋回流を表した状態図で、エジェクター１からディフューザ部１３に通ずる一連の通路を、ハイブリッド型シャワーヘッド８の外周に沿った形でつなぐことで、通路の中心１７が偏芯１８し送水１０は空気導入管６から吸引された気液混合体として、ハイブリッド型シャワーヘッド８の外周に沿って流れ旋回流１６となる。【００２１】図５は、ディスク状のフィルターの平面図で、ディスク状（円盤状）の板にスリット１９が開けてあり、スリット１９とスリット１９の間には、格子２０が設けられている。【００２２】またディスク状のフィルター３には、外周に沿って凸状の突起２１が一定の角度２３で割り振られて形成され、凸状の突起２１の一つを起点２２として、凸状の突起２１の角度２３を裏面の凹部２４とずらして組み合わせ一体化することで、ディスク状のフィルター３は螺旋状の形状を構成し、通過する液体は旋回流１６となる【００２３】図５の（Ａ）〜（Ｄ）は、ディスク状のフィルターの各種格子を表した断面図で、（Ａ）は菱形状の格子２５で形成され、流水２６が格子２０の圧縮部２７に流入すると、圧縮作用受け通過する際には膨張部２８で膨張作用を受けることから、気液混合率とタブレット９の溶解率が大幅に向上する。【００２４】（Ｂ）は三角状の格子２９で形成され、（Ａ）と同様の作用と効果を発揮する。【００２５】（Ｃ）は丸状の格子３０で形成され、（Ａ）と同様の作用と効果を発揮する。【００２６】（Ｄ）は半丸状の格子３１で形成され、（Ａ）と同様の作用と効果を発揮する。【００２７】図６は、マッサージ効果を生む旋回流を表した状態図で、ディスク状のフィルター３で作られた旋回流１６は、隙間４に流れ込み細孔５の抵抗を受けるが、ディスク状のフィルター３の厚み２枚程度の隙間４を設けることで、若干細孔５の抵抗を緩和することが出来、また隙間４を設けた為に、旋回流１６が消失しないで済む。【００２８】消失を免れた旋回流１６は、個々の細孔５を通じて外部に放出されるが、旋回流１６はそのまま旋回流１６を維持しながら外部へと放出され、放出した旋回流１６は肌に触れると肌を刺激しマッサージ効果を生む。
【図面の簡単な説明】
【００２９】
【図１】ハイブリット型マイクロバブルシャワーヘッドの実施形態図
【図２】エジェクターの断面図
【図３】カルマン渦の発現を表した状態図
【図４】旋回流を表した状態図
【図５】ディスク状のフィルターの平面図  ディスク状のフィルターの各種格子を表した断面図  （Ａ）菱形状の格子（Ｂ）三角状の格子（Ｃ）丸状の格子（Ｄ）半丸状の格子
【図６】マッサージ効果を生む旋回流を表した状態図
【符号の説明】
【００３０】  １  エジェクター
２  溶解室
３  ディスク状のフィルター
４  隙間
５  細孔
６  空気導入管
７  タブレット装填口
８  ハイブリット型マイクロバブルシャワーヘッド
９  タブレット
１０  送水
１１  一次側
１２  ノズル
１３  ディフューザ部
１４  ノズル径の中心部
１５  カルマン渦
１６  旋回流
１７  通路の中心
１８  偏芯
１９  スリット
２０  格子
２１  凸状の突起
２２  基点
２３  角度
２４  凹部
２５  菱形状の格子
２６  流水
２７  圧縮部
２８  膨張部
２９  三角状の格子
３０  丸状の格子
３１  半丸状の格子
【図１】
0003188504.tif 000003
【図２】
0003188504.tif 000004
【図３】
0003188504.tif 000005
【図４】
0003188504.tif 000006
【図５】
0003188504.tif 000007
【図６】
0003188504.tif 000008
【手続補正書】
【提出日】平成25年10月31日(2013.10.31)
【手続補正１】
【補正対象書類名】実用新案登録請求の範囲
【補正対象項目名】全文
【補正方法】変更
【補正の内容】
【実用新案登録請求の範囲】
【請求項１】
マイクロバブル発生機構は、ディフューザ部及び空気導入管よりなり、前記ディフューザ部が発生する負圧を用いて空気を吸引し、マイクロバブルを発生する様に、前記空気導入管にデフューザ部を挿入しエジェクターとしたマイクロバブル発生機構を注水経路内に備え、前記マイクロバブル発生機構の下流側にタブレットを挿入し溶解さす溶解室を設け、前記注水経路は回転流を発生する様に、前記溶解室に対して偏芯して接続され、前記溶解室の下流に溶解されたタブレットを含む混合液を研削する様に、突起及びスリットを備えたディスク型フィターを設けたこと、を特徴とするハイブリット型マイクロバブルシャワーヘッド。
【請求項２】
空気を吸引するエジェクターの構造は、一次側管径をノズルの管径で絞り流速を速め、ディフューザ部に負圧を発現させマイクロバブルを発生さすが、負圧を発現さすディフューザ部に通ずる空気導入管の先端を、ノズル径の中心部まで差し込むことで、流体が導入管に遮られ流体の後方にカルマン渦が発現し、流入した空気をより細かく破砕することで、マイクロバブルを容易に発生さすことが出来ること、を特徴とする請求項１記載のハイブリット型マイクロバブルシャワーヘッド。
【請求項３】
ディフューザ部は、溶解室の外周に沿って流体が流れ込む様に、偏芯させ旋回流を作り、タブレットが溶解室で容易に溶け込む構造とし、さらに溶解室の後方には、より溶解を促進するためと気泡の混合率を高めるフィルターを設けていること、を特徴とする請求項１記載のハイブリット型マイクロバブルシャワーヘッド。
【請求項４】
フィルターは、ディスク状の形状にスリットを設けスリットとスリットの間の格子は、菱形、三角、円、半円状の何れかの断面を持ち、またスリットをずらせる様にディスクの淵、上部には凸の突起と下部には凹型のくぼみを設け、ディスクどうしをずらしながら螺旋状に組立の出来る構造を有すること、を特徴とする請求項１記載のハイブリット型マイクロバブルシャワーヘッド。
【請求項５】
フィルターの後方には、圧損を緩和する為の隙間を設け、その隙間は最低フィルターの２枚分程度を取ることで、圧損を緩和すると共にフィルターで作られる旋回流が、シャワーの細孔から流れ出る際、各々の細孔から出る水流が旋回流として放出しマッサージ効果を生むことを、特徴とする請求項１記載のハイブリット型マイクロバブルシャワーヘッド。